(57)【要約】【課題】容器口部の上端部分の内面及び当該容器口部の先端面に内容物を付着させることなく当該内容物の充填を可能するキャップ付容器を提供するものである。【解決手段】キャップが装着される容器口部を有し、容器口部１０の開口端面１１から所定位置の内面に、全周にわたって段部１３（１２）を形成したキャップ付容器とする。このようなキャップ付き容器によれば、キャップ付容器の開封を容易にするため、樹脂フィルム、アルミ箔、或いはこれらのラミネート材等から成る内蓋シールを貼りつけることなく、容器口部に装着されるキャップによって密封性を保持するため、容器口部の上端部分に内容物を付着させることなく充填を可能とし、或いは前記キャップ付き容器の容器口部の上端部分に内容物が付着した際の洗浄を可能とする。【選択図】図３
2015024848.tif 000002
【特許請求の範囲】
【請求項１】
キャップが装着される容器口部を有し、
前記容器口部の開口端面から所定位置の内面に、全周にわたって突出する段部を形成したことを特徴とするキャップ付容器。
【請求項２】
前記段部がリング状に突出する突出部である、請求項１記載のキャップ付容器。
【請求項３】
前記段部を構成する前記突出部の上端面が前記突出部の先端面に向かって、容器本体側へ傾斜する傾斜面である請求項１または２記載のキャップ付容器。
【請求項４】
前記キャップが、天面部と該天面部の周縁から延びるスカート部、前記天面部の内面からリング状に下垂するインナーリング部を有し、前記インナーリング部が前記容器口部の内面に密着して前記容器口部を密封する密封構造を有する請求項１乃至３のいずれかに記載のキャップ付容器。
【請求項５】
前記キャップが、前記スカート部の内面からリング状に突出して前記容器口部の外面に密着するアウターリング部と、
前記インナーリング部より外側の前記天面部の内面からリング状に突出して前記容器口部の開口端面に密着するコンタクトリング部とを有する請求項４記載のキャップ付容器。
【請求項６】
請求項１乃至５のいずれかに記載のキャップ付容器に内容物を充填する充填ノズルであって、
前記容器口部の開口部から挿入され、前記容器口部の開口端面から所定位置の内面の全周に形成した段部に当接する先端ノズル部を有する充填ノズル。
【請求項７】
請求項６記載の充填ノズルを用いて、請求項１乃至５のいずれかに記載のキャップ付容器に内容物を充填する充填方法であって、
前記充填ノズルの先端ノズル部を、前記容器口部の開口端面から所定位置の内面の全周に形成した段部に当接した状態にセットする充填ノズルセットステップと、
前記段部に当接した状態の前記先端ノズル部から内容物を充填する充填ステップとを有する充填方法。
【請求項８】
請求項１乃至５のいずれかに記載のキャップ付容器における前記容器口部の上端部分を洗浄する洗浄ノズルであって、
洗浄液を噴出するノズル本体部と、
前記ノズル本体部から突出し、前記容器口部の開口部から挿入され、前記容器口部の開口端面から所定位置の内面の全周に形成した段部より容器本体側の空間を塞ぐ中栓部材とを有する洗浄ノズル。
【請求項９】
前記洗浄ノズルのノズル本体部の先端面に、前記容器口部の開口端面が陥入するリング状の溝部が形成されている請求項８記載の洗浄ノズル。
【請求項１０】
請求項８または９に記載の洗浄ノズルを用いて請求項１乃至５のいずれかに記載のキャップ付容器における容器口部の上端部分を洗浄する洗浄方法であって、
前記洗浄ノズルの中栓部材を、前記容器口部の開口部から挿入し、前記容器口部の開口端面から所定位置の内面の全周に形成した段部より容器本体側の空間を塞ぐと共に前記段部に当接した状態にセットする洗浄ノズルセットステップと、
前記中栓部材を前記段部に当接した状態で、前記ノズル本体部から洗浄液を噴出させ、容器口部の上端部分を洗浄するステップとを有する洗浄方法。
【請求項１１】
請求項１乃至５のいずれかに記載のキャップ付容器に内容物を充填し、前記キャップ付容器における容器口部の上端部分を洗浄する充填洗浄方法であって、
内容物の充填工程と、容器口部の上端部分を洗浄する洗浄工程から成り、
前記充填工程を、充填ノズルの先端ノズル部を前記容器口部の開口端面から所定位置の内面の全周に形成した段部に当接した状態にセットする充填ノズルセットステップと、
前記先端ノズル部を前記段部に当接した状態で、前記先端ノズル部から内容物を充填する充填ステップとを有する構成とし、
前記洗浄工程を、洗浄ノズルの中栓部材を前記容器口部に挿入し、前記段部より容器本体側の空間を塞ぐと共に前記段部に当接させた状態にセットする洗浄ノズルセットステップと、前記中栓部材を前記段部に当接した状態で、前記洗浄ノズルから洗浄液を噴出させ、容器口部の上端部分を洗浄する洗浄ステップとを有する構成とした充填洗浄方法。
【発明の詳細な説明】
【技術分野】
【０００１】
本発明は、キャップ付容器、前記キャップ付容器に内容物を充填する充填ノズル、前記充填ノズルを用いて前記キャップ付容器に内容物を充填する充填方法、前記キャップ付容器の容器口部の上端部分を洗浄する洗浄ノズル、及びその洗浄ノズルを用いて前記キャップ付容器の容器口部の上端部分を洗浄する洗浄方法、及び前記充填方法、洗浄方法から成る前記キャップ付容器に内容物を充填し、容器口部の上端部分を洗浄する充填洗浄方法に関する。
【背景技術】
【０００２】
例えば、図６に示すような容器がある。この容器１００では、上端が開口部１０ａとなる容器口部１０を通して容器１００の内部と外部とが連通している。また、図示はされていないが、この容器口部１０の上端部分には、開口部１０ａを覆うようにキャップが装着される。
【０００３】
この容器１００に対して、流動性食品等の内容物が、例えば、図７に示すようにして充填される。充填ノズル６０は、先端面に形成されたノズル孔の周囲にリング状のパッキン６１が設けられており、パッキン６１が容器口部１０の開口端面１１に押し付けられるように充填ノズル６０が容器１００に対してセットされる。この状態で、充填ノズル６０内の流動路６２を通ってノズル孔から噴出する内容物Ｃが、容器口部１０を通して容器本体２０に充填される。
【０００４】
このような充填ノズル６０を用いることにより、容器口部１０の開口端面１１にパッキン６１が押し付けられた状態で、充填ノズル６０から噴出する内容物Ｃが容器口部１０を通って容器本体２０に充填されるので、内容物Ｃの充填に際して容器口部１０の開口端面１１から内容物Ｃのもれが防止され、容器口部１０の開口端面１１に内容物Ｃが付着しない。
【０００５】
さらに、内容物Ｃの充填後における容器口部１０の開口端面１１への内容物Ｃの付着を確実に防止するために、その容器口部１０の開口端面１１の洗浄方法も提案されている（特許文献１参照）。この洗浄方法では、例えば、図８に示すような構造の洗浄ノズル７０を用いることができる。洗浄ノズル７０には、その先端面７２から突出するように閉鎖体７１が設けられ、その先端部分は錘状に形成されている。また、洗浄ノズル７０の先端面７２には、閉鎖体７１が突出する部分を囲むように、複数のノズル孔７２ａが形成されている。このような洗浄ノズル７０は、閉鎖体７１の錘状の先端部分が容器口部１０の開口部１０ａを塞ぐように、容器１００に対してセットされる。この状態で、洗浄ノズル７０の流動路７３を通って各ノズル孔７２ａから洗浄液Ｒが噴出して容器口部１０の開口端面１１に吹き付けられる。このように洗浄液Ｒが吹き付けられることにより、容器口部１０の開口端面１１に残った内容物が除去される。
【０００６】
上述したような洗浄ノズル７０を用いることにより、内容物の充填完了後に容器口部１０の開口端面１１に内容物が残っていたとしても、閉鎖体７１によって閉鎖された状態の容器口部１０の開口端面１１が洗浄液Ｒによって除去される。
【０００７】
そして、このような容器１００に対する内容物の充填方法や、内容物の充填完了後の容器口部１０の洗浄方法により、容器口部１０の開口端面１１への内容物Ｃの付着やその内容物Ｃの残りが防止されるので、例えば、樹脂フィルム、アルミ箔、或いはこれらのラミネート材等から成る内蓋シールを容器口部１０の開口端面１１に確実に貼り付けることができ、当該容器１００を確実に密封することができる。
【先行技術文献】
【特許文献】
【０００８】
【特許文献１】特開２００１−３４１７０８号公報
【発明の概要】
【発明が解決しようとする課題】
【０００９】
しかしながら、上述したような充填ノズル６０を用いた容器１００への内容物の充填方法では、容器口部１０の開口端面１１への内容物の付着をある程度防止することができるが、容器口部１０の内面には内容物が付着してしまう。また、上述したような洗浄ノズル７０を用いた容器口部１０の洗浄方法では、容器口部１０の開口端面１１に付着した内容物を除去することはできるが、容器口部１０の内面に付着した内容物を除去することができない。
【００１０】
上述したような容器口部１０の開口端面１１に内蓋シールを貼りつけ、キャップによって密封性を保持する場合には、容器口部１０の内面に付着した内容物は特に問題にはならない。しかし、開封を容易にするため、そのような内蓋シールを貼りつけることなく、容器口部１０に装着されるキャップによって密封性を保持すると、密封性の低下が起きることがある。例えば、キャップの天面部から下垂したインナーリング部を容器口部１０の上端部分の内面に密着させて密封性を保持する構造では、容器口部１０の上端部分の内面に内容物が残っていると、十分な密封性が保持することができず、また、密着するインナーリング部と容器口部１０の上端部分の内面とに挟まれて残った内容物が腐敗する可能性もある。
【００１１】
本発明は、このような事情に鑑みてなされたもので、キャップ付容器の開封を容易にするため、樹脂フィルム、アルミ箔、或いはこれらのラミネート材等から成る内蓋シールを貼りつけることなく、容器口部に装着されるキャップによって密封性を保持するため、容器口部の上端部分に内容物を付着させることなく当該内容物の充填を可能とし、或いは前記キャップ付容器の容器口部に内容物が付着した際の洗浄を可能にするキャップ付容器を提供するものである。
【００１２】
また、本発明は、前記キャップ付容器に内容物を充填する際に、容器口部の上端部分に内容物の付着を防止する充填ノズル、充填方法を提供するものである。
【００１３】
また、本発明は、前記キャップ付容器へ内容物を充填する際、容器口部の上端部分に内容物が付着しても、その内容物を除去することのできるキャップ付容器の容器口部を洗浄する洗浄ノズル、洗浄方法を提供するものである。
【００１４】
更に、本発明は、前記キャップ付容器への内容物の充填の際に、容器口部の上端部分に内容物が付着するのを防止し、内容物が付着しても、前記容器口部の上端部分を洗浄することで、確実に付着した内容物の除去を行うキャップ付容器の充填洗浄方法を提供するものである。
【課題を解決するための手段】
【００１５】
本発明に係るキャップ付容器は、キャップが装着される容器口部を有し、前記容器口部の開口端面から所定位置の内面に、全周にわたって突出する段部を形成した構成となる。
【００１６】
また、本発明に係るキャップ付容器は、
１．前記段部がリング状に突出する突出部であること、
２．前記段部を構成する前記突出部の上端面が前記突出部の先端面に向かって、容器本体側へ傾斜する傾斜面であること、
３．前記キャップが、天面部と該天面部の周縁から延びるスカート部、前記天面部からリング状に下垂するインナーリング部を有し、前記インナーリング部が前記容器口部の内面に密着して前記容器口部を密封する密封構造を有すること、
４．前記キャップが、前記スカート部の内面からリング状に突出して前記容器口部の外面に密着するアウターリング部と、前記インナーリング部より外側の前記天面部の内面からリング状に突出して前記容器口部の開口端面に密着するコンタクトリング部とを有すること、
が好ましい。
【００１７】
また、本発明に係るキャップ付容器に内容物を充填する充填ノズルは、前記キャップ付容器に内容物を充填する充填ノズルであって、前記容器口部の開口部から挿入され、前記容器口部の開口端面から所定位置の内面の全周に形成した段部に当接する先端ノズル部を有する構成となる。
【００１８】
更に、本発明に係るキャップ付容器に内容物を充填する充填方法は、前記充填ノズルを用いて、前記キャップ付容器に内容物を充填する充填方法であって、前記充填ノズルの先端ノズル部を容器口部の開口端面から所定位置の内面の全周に形成した段部に当接した状態にセットする充填ノズルセットステップと、前記段部に当接した状態の前記先端ノズル部から内容物を充填する充填ステップとを有する構成となる。
【００１９】
また、本発明に係るキャップ付容器の容器口部を洗浄する洗浄ノズルは、前記キャップ付容器の容器口部の上端部分を洗浄する洗浄ノズルであって、洗浄液を噴出するノズル本体部と、前記ノズル本体部から突出し、前記容器口部の開口部から挿入され、前記容器口部の開口端面から所定位置の内面の全周に形成した段部より容器本体側の空間を塞ぐ中栓部材とを有する構成となる。
【００２０】
また、本発明に係るキャップ付容器の容器口部を洗浄する洗浄ノズルは、前記洗浄ノズル本体部の先端面に前記容器口部の開口端面が陥入するリング状の溝部が形成されていることが好ましい。
【００２１】
更に、本発明に係るキャップ付容器の容器口部を洗浄する洗浄方法は、前記洗浄ノズルを用いて前記キャップ付容器の容器口部の上端部分を洗浄する洗浄方法であって、前記洗浄ノズルの中栓部材を、前記容器口部の開口部から挿入し、前記容器口部の開口端面から所定位置の内面の全周に形成した段部より容器本体側の空間を塞ぐと共に前記段部に当接した状態にセットする洗浄ノズルセットステップと、前記中栓部材を前記段部に当接した状態で、前記ノズル本体部から洗浄液を噴出させ、容器口部の上端部分を洗浄する洗浄ステップとを有する構成となる。
【００２２】
さらに、本発明に係るキャップ付容器の充填洗浄方法は、前記キャップ付容器に内容物を充填し、前記キャップ付容器における容器口部の上端部分を洗浄する充填洗浄方法であって、内容物の充填工程と、容器口部の上端部分を洗浄する洗浄工程から成り、前記充填工程は、充填ノズルの先端ノズル部を前記容器口部の開口端面から所定位置の内面の全周に形成した段部に当接した状態にセットする充填ノズルセットステップと、前記先端ノズル部を前記段部に当接した状態で、前記先端ノズル部から内容物を充填する充填ステップとを有する構成とし、前記洗浄工程は、洗浄ノズルの中栓部材を前記容器口部に挿入し、前記段部より容器本体側の空間を塞ぐと共に前記中栓部材を前記段部に当接した状態にセットする洗浄ノズルセットステップと、前記中栓部材を前記段部に当接した状態で、前記洗浄ノズルから洗浄液を噴出させ、容器口部の上端部分を洗浄する洗浄ステップとを有する構成となる。
【発明の効果】
【００２３】
本発明に係るキャップ付容器によれば、キャップ付容器の開封を容易にするため、樹脂フィルム、アルミ箔、或いはこれらのラミネート材等から成る内蓋シールを貼りつけることなく、容器口部に装着されるキャップによって密封性を保持するため、容器口部の上端部分に内容物を付着させることなく充填を可能とし、或いは前記キャップ付き容器の容器口部の上端部分に内容物が付着した際の洗浄を可能とするキャップ付容器とすることができる。
【００２４】
本発明に係るキャップ付容器に内容物を充填する充填ノズル、充填方法によれば、内容物の充填の際に、前記容器口部の上端部分に内容物が付着することなく、内容物を充填することができる。
【００２５】
また、本発明に係るキャップ付容器の容器口部を洗浄する洗浄ノズル、洗浄方法によれば、前記容器口部の上端部分に内容物が付着しても、その内容物を除去することができる。
【００２６】
さらに、本発明に係るキャップ付容器の充填洗浄方法によれば、前記キャップ付容器への内容物の充填の際に、容器口部の上端部分に内容物が付着するのを防止し、前記充填時に内容物が付着しても、容器口部の洗浄を行うことで、確実に付着した内容物を除去することができる。
【図面の簡単な説明】
【００２７】
【図１】本発明の実施の形態に係るキャップ付容器の容器を示す断面図である。
【図２】図１に示す容器の容器口部を拡大して示す断面図である。
【図３】容器口部にキャップが装着されたキャップ付容器を拡大して示す断面図である。
【図４】本発明の実施の形態に係る充填ノズルを用いて、図２に示す容器口部から内容物を充填している状態を示す断面図である。
【図５】本発明の実施の形態に係る洗浄ノズルを用いて、図２に示す容器口部の上端部分を洗浄している状態を示す断面図である。
【図６】従来の容器の一例を示す断面図である。
【図７】図６に示す容器に内容物を充填している状態を示す断面図である。
【図８】図６に示す容器口部を洗浄している状態を示す断面図である。
【発明を実施するための形態】
【００２８】
本発明の実施の形態について図面を用いて説明する。
【００２９】
本発明の実施の一形態に係るキャップ付容器の容器１００は、図１に示すように構成される。
【００３０】
容器１００は、上端が開口部１０ａとなる容器口部１０を通して容器本体２０の内部と外部とが連通している。図１、図２に示すように、容器口部１０の開口端面１１から所定位置の内面に、全周にわたって段部１３を構成する突出したリング状の突出部１２が形成されている。このリング状の突出部１２の周方向に垂直な断面の形状は略台形であり、開口部１０a側の上側面１２ａ、先端面１２ｂ、及び容器本体２０側の下側面１２ｃにより突出部１２が構成される。そして、段部１３は、容器口部１０の内面から突出部１２の先端面１２ｂに至る上側面１２ａにより構成される。この上側面１２ａは容器口部１０の内面から突出部１２の先端面１２ｂに向かって、また下側面１２ｃは突出部１２の先端面１２ｂから容器口部内面に向かって、容器本体２０側へ傾斜する傾斜面となっている。
【００３１】
容器１００の容器口部１０の開口部１０ａに装着されるキャップ５０は、例えば、図３に示すように構成される。
【００３２】
キャップ５０は、天面部５１と、天面部５１の周縁から延びるスカート部５２とによって形成されている。図示されていないが、スカート部５２及び容器口部１０は、係脱可能な公知の係止構造を有している。そして、天面部５１の内面から下垂するリング状のインナーリング部５１ａが形成され、キャップ５０が容器口部１０に装着された状態で、インナーリング部５１ａの外面が容器口部１０の開口端面１１から突出部１２までの上端部分の内面に当接する。また、スカート部５２の内面から突出するリング状のアウターリング部５２ａが形成され、キャップ５０が容器口部１０に装着された状態で、アウターリング部５２ａの先端が容器口部１０の外面に当接する。さらに、天面部５１の内面のインナーリング部５１ａより外側の部分から突出するコンタクトリング部５１ｂが形成され、キャップ５０が容器口部１０に装着された状態で、コンタクトリング部５１ｂの先端が容器口部１０の開口端面１１に当接する。
【００３３】
上述したキャップ５０では、インナーリング部５１ａ、アウターリング部５２ａ及びコンタクトリング部５１ｂによって、容器口部１０の開口端面１１から突出部１２までの内面と、容器口部１０の開口端面１１と、容器口部１０の外面とに当接して当該容器口部１０を密封する密封構造が構成される。このような密封構造により、容器口部１０の開口端面１１に上述した内蓋シールを貼らなくても、容器１００をキャップ５０で密封でき、キャップ付容器の気密性を確保することができる。
【００３４】
次いで、上述した容器１００に、流動性食品等の内容物を充填する充填ノズル、充填方法の本発明の実施の一形態について説明する。
【００３５】
充填ノズル３０は、図４に示すように、ノズル本体部３１の先端面３２から先端ノズル部３３が突出した構造となっている。先端ノズル部３３の外径は、容器口部１０の開口部１０ａの内径より小さく、容器口部１０の内面に形成されたリング状の突出部１２の先端面１２ｂで囲まれる空間領域１５の径より大きい。従って、容器口部１０の開口部１０ａから挿入される先端ノズル部３３は突出部１２の上側面１２ａで構成される段部１３に当接する。ノズル本体部３１の内部には流動路３１ａが形成されており、流動路３１ａを流れる内容物Ｃは、先端ノズル部３３を段部１３にセットした後、先端ノズル部３３から容器本体２０へ充填される。
【００３６】
なお、ノズル本体部３１の流動路３１ａ内には、先端ノズル部３３の内径より小さい外径のセンターロッド３４が進退動可能に設けられている。内容物Ｃが先端ノズル部３３から噴出する際に、内容物Ｃの噴出の妨げにならないように、センターロッド３４は、流動路３１ａ内の退避位置（図４に示す位置）にある。内容物Ｃの充填が終了したときに、進出して、先端ノズル部３３内に陥入する。この状態で、先端ノズル部３３の内面とセンターロッド３４の外面との間の隙間において内容物Ｃがその表面張力によって保持される。これにより、充填ノズル３０が容器口部１０から離れる際に、先端ノズル部３３の残留内容物が垂れ落ちることが防止される。
【００３７】
上述した充填ノズル３０を用いた前記容器１００への内容物の充填方法では、充填ノズル３０の先端ノズル部３３を、容器１００における容器口部１０の内面に形成されたリング状の突出部１２の上側面１２ａで構成される段部１３に当接した状態で、先端ノズル部３３を通して内容物Ｃが容器本体２０に充填される。このため、内容物Ｃの充填に際して、容器口部１０の開口端面１１から突出部１２の上側面１２ａまでの間である上端部分の内面に内容物Ｃが付着することなく、内容物Ｃを容器１００に充填することができる。
【００３８】
また、容器口部１０の内面に形成された突出部１２の上側面１２ａ及び下側面１２ｃは、容器本体２０側へ傾斜した傾斜面になっているので、内容物Ｃを充填している際に、突出部１２の上側面１２ａ、先端面１２ｂ、下側面１２ｃに内容物が付着したとしても、その内容物は、先端面１２ｂ、下側面１２ｃの傾斜面を伝って容器本体２０側に流れ得る。従って、突出部１２に残った内容物が容器口部１０の上端部分に付着することを防止することができる。
【００３９】
また、突出部１２の下側面１２ｃを形成することによって、容器口部１０の突出部１２以外の肉厚を薄くすることができるため、容器口部１０に必要な材料を少なくすることができ、材料コストを下げることができる。
【００４０】
次に、内容物Ｃが充填された容器１００における容器口部１０の上端部分を洗浄する洗浄ノズル、洗浄方法の本発明の実施の一形態について説明する。
【００４１】
洗浄ノズル４０は、図５に示すように、ノズル本体部４１、中栓部材４２を備えた構成となっている。ノズル本体部４１の先端部分には、先端面４１１の中央部で開口する流動路４１２が形成されており、中栓部材４２が流動路４１２を通って、ノズル本体部４１の先端面４１１から突出している。中栓部材４２の先端部４２１は、略球面状に拡がった形状となっている。中栓部材４２の先端部４２１の外径は、容器口部１０の内径より小さく、容器口部１０の内面に形成されたリング状の突出部１２の先端面１２ｂで囲まれた空間領域１５の径より大きい。
【００４２】
中栓部材４２の先端部４２１の外径は、容器口部１０の内径より小さく、容器口部１０の内面に形成された突出部１２の先端面１２ｂで囲まれた空間領域１５の径より大きいことから、中栓部材４２の先端部４２１は開口部１０ａを通して容器口部１０に挿入可能であり、また、容器口部１０に挿入された中栓部材４２の先端部４２１は、突出部１２の上側面１２ａから構成された段部１３に当接する。そして、ノズル本体部４１の先端面４１１には、流動路４１２の開口を囲むようにリング状の溝部４１３が形成され、中栓部材４２の先端部４２１が段部１３に当接するように洗浄ノズル４０がセットされた状態で容器口部１０の開口端面１１が前記リング状の溝部４１３に陥入する。
【００４３】
上述した構造の洗浄ノズル４０を用いて、次のようにして容器１００における容器口部１０の上端部分が洗浄される。
【００４４】
まず、洗浄ノズル４０の中栓部材４２を容器１００の容器口部１０に挿入し、中栓部材４２の先端部４２１を容器１００の容器口部１０の突出部１２の上側面１２ａで構成される段部１３に当接させ、容器口部１０の突出部１２より容器本体２０側を塞いだ状態にセットする（図５参照）。次いで、この状態で、洗浄液が、流動路４１２を通してノズル本体部４１の先端面４１１の開口から噴出する。
【００４５】
容器口部１０の段部１３に当接した中栓部材４２の先端部４２１によって、上述した突出部１２より容器本体２０側が塞がれ、ノズル本体部４１から噴出した洗浄液は、その突出部１２を越えて容器本体２０に向かうことなく、容器口部１０の突出部１２と開口端面１１との間の内面と中栓部材４２の外面との間の空間に満たされる。さらに、その洗浄液は、ノズル本体部４１の先端面４１１に形成されたリング状の溝部４１３内に満たされつつ容器口部１０の開口部１０ａから溢れ落ち、容器口部１０の開口端面１１から突出部１２の上側面１２ａまでの間である上端部分を洗浄する。そして、洗浄した後、流動路４１２を通してノズル本体部４１の先端面４１１の開口からエアーを噴出し、洗浄液を吹き飛ばし、容器１００の容器口部１０を乾燥させる。
【００４６】
上記洗浄ノズル４０を用いた容器１００の容器口部１０の上端部分の洗浄方法では、ノズル本体部４１の先端面４１１から突出する中栓部材４２の先端部４２１が容器１００の容器口部１０の内面に形成されたリング状の突出部１２より容器本体２０側を塞いだ状態で、ノズル本体部４１の開口から洗浄液が噴出される。このため、洗浄液が、突出部１２を越えて容器本体２０に向かうことなく、容器口部１０の突出部１２と開口端面１１との間の内面と中栓部材１０の外面との間の空間に満たされて容器口部１０の開口部１０ａから溢れ落ち、その洗浄液の流れによって、容器口部１０の開口端面１１から突出部１２の上側面１２ａまでの間の上端部分の内面に内容物が付着していたとしても、その内容物を洗浄液が洗い流して除去することができる。
【００４７】
また、洗浄ノズル４０におけるノズル本体部４１の先端面４１１に容器口部１０の開口端面１１が陥入するリング状の溝部４１３が形成されているので、その溝部４１３に滞留する洗浄液により、容器口部１０の開口端面１１に付着した内容物をより確実に洗い流して除去することができる。
【００４８】
次に、上述した容器１００に、流動性食品等の内容物を充填し、充填後に前記容器の容器口部の洗浄を行う充填洗浄方法の本発明の実施の一形態について説明する。
【００４９】
この充填洗浄方法における充填は、図４に示す充填ノズルを用いて、図２に示す容器口部１０の開口部１０ａから内容物を充填するものであり、上述した容器１００に、流動性食品等の内容物を充填する充填方法の実施の一形態と同様である。また、この充填洗浄方法における洗浄方法は、上述した充填方法により内容物Ｃが充填された容器１００における容器口部１０の上端部分を洗浄する洗浄方法の実施の一形態と同様である。
【００５０】
従って、充填工程は、充填ノズル３０の先端ノズル部３３を、容器１００の容器口部１０の開口端面１１から所定位置の内面の全周に形成した段部１３に当接した状態にセットする充填ノズルセットステップと、前記先端ノズル部３３を前記段部１３に当接した状態で、前記先端ノズル部３３から内容物を充填する充填ステップから構成する。
【００５１】
また、充填工程後の洗浄工程は、洗浄ノズル４０の中栓部材４２を前記容器１００の容器口部１０に挿入し、前記段部１３より容器本体２０側を塞ぐと共に該段部１３に当接させた状態にセットする洗浄ノズルセットステップと、前記中栓部材４２を方前記段部１３に当接した状態で、前記洗浄ノズル４０から洗浄液を噴出させ、容器口部１０の上端部分を洗浄する洗浄ステップから構成する。
【００５２】
このような充填工程と洗浄工程からなる充填洗浄方法とすることにより、キャップ付容器１００への内容物の充填の際に、容器口部１０の上端部分に内容物が付着するのを防止し、前記充填時に内容物が付着したとしても、前記容器口部１０の上端部分の洗浄を行って、より確実に付着した内容物の除去することができる。
【００５３】
上述したような充填ノズル３０を用いた充填方法及び／又は上述したような洗浄ノズル４０を用いた洗浄方法によれば、容器１００における容器口部１０の開口端面１１から突出部１２までの内面に内容物が付着することを確実に防止することができる。このため、容器口部１０の開口端面１１に上述した内蓋シールを貼らずに、容器口部に装着されるキャップによって密封性を保持することができ、また、残った内容物の腐敗等の問題も生じることはない。
【００５４】
本発明に係るキャップ付容器の容器１００は、キャップが装着される容器口部１０を備えていればよく、例えば、包装袋に容器口部となるスパウトを接合したスパウト付包装袋でもよいし、ＰＥＴボトルのような容器口部を備えたボトルでもよい。
【産業上の利用可能性】
【００５５】
本発明に係るキャップ付容器、キャップ付き容器に内容物を充填する充填ノズル、充填方法、キャップ付容器の容器口部を洗浄する洗浄ノズル、洗浄方法、及びキャップ付容器の充填洗浄方法は、流動性食品である流動食、アイスクリーム、ゼリー、マヨネーズなどの粘性を持つ内容物を充填する容器における容器口部の上端部分の内面、及び容器口部の先端面の内容物の付着を確実に防止する技術として有用である。
【符号の説明】
【００５６】
１０  容器口部
１１  開口端面
１２  突出部
１２ａ  上側面
１２ｂ  先端面
１２ｃ  下側面
１３  段部
１５  空間領域
２０  容器本体
３０  充填ノズル
３１  ノズル本体部
３２  先端面
３３  先端ノズル部
３４  センターロッド
４０  洗浄ノズル
４１  ノズル本体部
４１１  先端面
４１２  流動路
４２  中栓部材
４２１  先端部
５０  キャップ
５１  天面部
５１ａ  インナーリング部
５１ｂ  コンタクトリング部
５２  スカート部
５２ａ  アウターリング部
１００  容器
【図１】
2015024848.tif 000003
【図２】
2015024848.tif 000004
【図３】
2015024848.tif 000005
【図４】
2015024848.tif 000006
【図５】
2015024848.tif 000007
【図６】
2015024848.tif 000008
【図７】
2015024848.tif 000009
【図８】
2015024848.tif 000010